(57)【特許請求の範囲】
【請求項１】
血液ポンプに対応するポンプ部と、透析器の入口に接続される動脈側ラインと、前記透析器の出口に接続される静脈側ラインとを有する血液チューブセットの充填・洗浄方法であって、
前記動脈側ラインの端部と前記静脈側ラインの端部とを接続し、これら２つのラインをリンスポートに接続する工程と、
置換液ポンプに対応するポンプ部を有する置換液ラインを、置換液を供給する置換液ポートに接続する工程と、
前記リンスポートを開放する工程と、
前記置換液ポンプによって前記置換液ラインから前記血液チューブセットに液量を制御しながら置換液を供給するとともに、前記血液ポンプによって当該血液チューブセット内の置換液を輸送することにより、前記動脈側ライン及び前記静脈側ラインの充填及び／又は洗浄を同時に行う工程と、
前記リンスポートを閉鎖する工程と、
前記動脈側ライン、前記透析器及び前記静脈側ラインからなる回路内において、血液ポンプにより前記置換液を循環させる工程と、
を含むことを特徴とする方法。
【請求項２】
請求項１に記載の方法において、
前記充填及び前記洗浄は、１つの連続的なプロセスであることを特徴とする方法。
【請求項３】
請求項１に記載の方法において、
前記充填及び前記洗浄は、同じプロセスにより行われることを特徴とする方法。
【請求項４】
請求項１に記載の方法において、
前記充填及び／又は洗浄のプロセスの間、前記血液ポンプは液量ｎの置換液を輸送し、前記置換液ポンプは、前記置換液ラインから前記血液ポンプの吸込側ラインに、液量ｍ＋ｎの置換液を供給することを特徴とする方法。
【請求項５】
請求項４に記載の方法において、
前記血液ポンプは逆方向に動作することを特徴とする方法。
【請求項６】
請求項１に記載の方法において、
前記血液ポンプは、前記置換液の少なくとも一部を、前記動脈側ライン、前記透析器及び前記静脈側ラインからなる回路内に循環させ、その一方で、追加の置換液が前記置換液ラインから供給されることを特徴とする方法。
【請求項７】
請求項１に記載の方法において、
前記血液ポンプは前記動脈側ラインに配置され、前記置換液は前記血液ポンプと前記透析器との間に供給されることを特徴とする方法。
【請求項８】
請求項１に記載の方法において、
前記置換液ポート及び前記リンスポートは、置換液作製部を有するシステムの一部であることを特徴とする方法。
【請求項９】
請求項１に記載の方法において、
前記リンスポート及び前記血液ポンプの制御は自動で行われることを特徴とする方法。
【請求項１０】
請求項９に記載の方法において、
前記置換液ポンプの制御は自動で行われることを特徴とする方法。
【請求項１１】
請求項１に記載の方法において、
前記動脈側ライン、前記静脈側ライン及び前記リンスポートは、Ｔコネクタを介して接続されていることを特徴とする方法。
【請求項１２】
請求項１に記載の方法において、
前記動脈側ライン及び前記静脈側ラインの同時洗浄中に、前記リンスポートを介して置換液が排出されることを特徴とする方法。
【請求項１３】
請求項１に記載の方法において、
前記動脈側ライン及び前記静脈側ラインの同時洗浄中又は循環中に、前記透析器を介して置換液が排出されることを特徴とする方法。
【請求項１４】
請求項１に記載の方法が実行可能な血液チューブセットであって、
前記血液ポンプに対応するポンプ部と、
前記透析器の入口に接続可能である動脈側ラインと、
前記透析器の出口に接続可能である静脈側ラインと、
前記置換液ラインと、
前記動脈側ライン、前記静脈側ライン及び前記リンスポートに接続可能であるコネクタと、
を有し、
前記置換液ポンプに対応するポンプ部が、前記置換液ラインに一体化されていることを特徴とする血液チューブセット。
【発明の詳細な説明】
【技術分野】
【０００１】
本発明は、血液ポンプに対応するポンプ部と、透析器の入口に接続された動脈側ラインと、透析器の出口に接続された静脈側ラインと、置換液ラインとを備えた血液チューブセットの充填及び洗浄を行う方法に関する。
【背景技術】
【０００２】
このタイプの血液チューブは、体外血液治療、例えば血液透析において使用するものであり、このプロセスにおいて、体外血液回路を形成するものである。通常、ディスポーザブル品を動脈側ライン及び静脈側ラインとして使用する。これらは、無菌状態でパッキングされており、治療に先立って充填及び洗浄を行う必要がある。この血液チューブセットの充填及び洗浄は、プライミングとも呼ばれ、体外治療において、血液が空気に接触する可能性を排除できる。
【０００３】
この点について、ディスポーザブルシステムとして形成された血液チューブシステムは、患者を治療装置に接続する前に置換液が充填され、それによりプライミング後の体外システムは実質的に無空気状態になる。チューブシステムの充填及び洗浄の後、静脈側ライン及び動脈側ラインは通常互いに接続され、患者がシステムに接続されるまで、動脈側ライン、透析器及び静脈側ラインからなる回路内を置換液が循環する。患者を接続した後、置換液は流入した血液に置き換わり、血液が空気に接触する可能性が最小化される。
【０００４】
生理的溶液が入ったバッグとそれに対応する使用済み溶液を回収するバッグとを用いて血液チューブセットの充填及び洗浄を行う方法が公知である。このような方法では、通常、生理食塩水の入ったバッグが動脈側ラインに接続されて動脈側ラインに生理食塩水が充填される。動脈側ラインの充填後、血液ポンプを用いて静脈側ラインの充填及び洗浄を行う。この目的のために、血液チューブセットのポンプ部、つまり独自の特徴を有するチューブ部分が、血液ポンプ（通常、ペリスタポンプ又はローラーポンプ）に挿入され、これにより、血液ポンプはポンプ部を介して静脈側ライン内に生理食塩水を供給できる。
【０００５】
充填・洗浄プロセスを可能な限り自動化するために、Ｔコネクタを用いて動脈側ライン及び静脈側ラインを短絡させて充填及び洗浄を行い、動脈側ライン及び静脈側ラインをＴコネクタを介して使用済み溶液を回収するバッグに接続する方法が、EP 831 945 B1に開示されている。この方法ではさらに、血液ライン、つまり動脈側ライン及び静脈側ラインにおけるコネクタの近傍に、充填・洗浄プロセスを制御するためのバルブを設ける必要がある。このプロセスにおいて、まず、重力を利用してバッグから動脈側ライン内に置換液を充填する。対応するバルブの開放及び閉鎖を行った後、動脈側ラインからの置換液が静脈側ライン内に充填される。対応するバルブの開放及び閉鎖をさらに行った後、置換液は、血液ポンプにより動脈側ライン、透析器及び静脈側ラインからなる回路内を循環する。
【発明の開示】
【発明が解決しようとする課題】
【０００６】
制御可能なバルブを血管チューブセットへ取り付けることは難しいが、このプロセスでは省略することができず、さらに、電気的接続及び空気的接続が必要であり、例えばバルブの混同又は不正確な配置により、透析看護師が操作を誤りやすい。
【０００７】
さらに、自動化された手順を開始する前に、無菌流体の供給源（例えば無菌生理食塩水が入ったバッグ）を治療装置の上に吊して、この供給源に穴を開けて、血液チューブセットに接続する手作業が必要であり、バッグと血液チューブセットとの接続においては、予め確実にバルブを正確に嵌め込んで閉鎖しておく必要がある。
【０００８】
さらに、バルブの作動を自動化するために、ハードウェア側及びソフトウェア側の両方においてバルブを制御する必要があり、一方では、いずれのバルブも、溶液バッグを接続する前に、適切に接続され且つ正しく閉鎖されていなければならない。
【０００９】
したがって、本発明の目的は、使用上の安全性が向上し、より簡単に短時間で実施でき、よりコスト面が向上した、血液チューブセットの充填・洗浄方法を得ることである。
【課題を解決するための手段】
【００１０】
本発明の血液チューブセットの充填・洗浄方法は、動脈側ラインを静脈側ラインに接続し、これら２つのラインをリンスポートに接続する工程と、置換液ラインを置換液ポートに接続する工程と、リンスポートを開放する工程と、動脈側ライン及び静脈側ラインの充填を行う工程と、動脈側ライン及び静脈側ラインを洗浄する工程と、リンスポートを閉鎖する工程と、動脈側ライン、透析器及び静脈側ラインからなる回路内において、血液ポンプにより置換液を循環させる工程とを含み、動脈側ライン及び静脈側ラインの充填及び／又は洗浄は、置換液ラインから置換液が供給されている状態で、動脈側ライン及び静脈側ラインに対して同時に行われる。血液チューブセットのポンプ部は、当然ながら、その使用前に血液ポンプに挿入される。
【００１１】
特に、この方法では、動脈側ラインの充填又は洗浄及びそれに続く静脈側ラインの充填又は洗浄を制御する必要が生じるバルブの血液チューブセットへの取り付け作業を省略できる。したがって、これらのバルブの取り付けに関する誤操作の原因が排除される。さらに、動脈側ライン及び静脈側ラインの同時充填及び／又は同時洗浄により、複数の方法工程を行う必要がないので、充填・洗浄プロセスにかかる時間を短縮できる。さらに、該方法は、より容易に自動化でき、透析看護師が血液チューブセットの充填及び洗浄を行うのにかかる時間を最小化できる。血液チューブセットは、さらに、価格の面で好ましく、プロセスの最中に取り替える必要がない。さらに、プロセスの全てを治療装置において実行でき、患者を接続する前に完了できるので、原則として、患者がいなくても治療装置を準備することができる。
【００１２】
血液チューブセットへのインターフェースは、置換液ポート及びリンスポートである。置換液ポートを介して置換液が置換液ライン内に導入され、リンスポートを介して使用済み置換液が再度排出され得る。通常、置換液ポート及びリンスポートの両方ともバルブを有しており、このバルブにより、プロセスの適用のために、ポートの開閉を制御できる。
【００１３】
本発明の方法において、充填及び洗浄は、好適には１つの連続するプロセスである。その結果、置換液の液流は中断されない。よって、従来のように、気泡が輸送される結果として、流入する置換液が一時的に中断され、それにより泡が形成されるという危険性が排除される。この点について、動脈側ライン及び静脈側ラインが同時に充填又は洗浄されるだけでなく、この充填・洗浄プロセスは連続的に行われる。上記のような安全性の向上に加えて、血液チューブセットにバルブを用いずに済むので、より簡単な自動化が可能である。
【００１４】
さらに好適には、充填及び洗浄は、同じプロセスにより行われる。そのため、充填・洗浄プロセスを個々に切り換える必要が無いので、方法の実施における制御量又は作業量が低減され、安全性が向上する。
【００１５】
動脈側ライン及び静脈側ラインの同時充填及び／又は同時洗浄は、好適には、置換液ラインから置換液が同時に供給されている状態で、血液ポンプが血液チューブセット内において置換液を輸送するように行われる。したがって、血液チューブセットの既存の構成部材を用いて充填プロセス及び／又は洗浄プロセスを制御するだけでよい。置換液ラインからの置換液を血液チューブセット内に供給する一方で、血液ポンプは置換液が確実に動脈側ライン及び静脈側ラインの両方を流れるように動作する。これにより、動脈側ライン及び静脈側ラインの両方を同時に充填又は洗浄するためのバルブを省略できる。
【００１６】
好適には、充填及び／又は洗浄プロセスの間、血液ポンプは液量ｎの置換液を輸送し、液量ｍ＋ｎの置換液が置換液ラインから血液ポンプの吸込側ラインに供給される。これにより、血液ポンプは、血液チューブセットの圧力側部分を介して置換液ラインから供給される置換液の部分ｎを吐出し、その一方で、血液チューブセットの吸込側部分には、置換液ラインの供給部からの置換液の残りの部分ｍが流れる。この方法において、血液チューブセットの両方の部分に、同時に、並列且つ同じ方向に置換液が流れ、それら両置換液流が、血液チューブセットの充填後にリンスポートにて再度合流し、このリンスポートから排出される。
【００１７】
このように、血液チューブセットを安全且つ短時間で充填及び洗浄でき、血液ポンプによって輸送される液量又は置換液ラインから供給される液量を制御するだけでよい簡単な方法が得られる。
【００１８】
このプロセスにおいて、好適には、血液ポンプは逆方向に動作する。特に血液ポンプに対応するポンプ部が動脈側ラインに一体化されている場合、血液ポンプは、動脈側ラインを通ってリンスポートに至るように置換液を直接吐出し、その一方で、残りの置換液は、透析器及び静脈側ラインを流れ、リンスポートにて、血液ポンプから直接吐出された置換液と合流する。
【００１９】
あるいは、動脈側ライン及び静脈側ラインの同時充填及び／又は同時洗浄を行う間、血液ポンプが、動脈側ライン、透析器及び静脈側ラインからなる回路内に置換液の少なくとも一部を循環させ、その一方で、置換液ラインから置換液が追加供給される。したがって、置換液は動脈側ライン及び静脈側ライン内を並列に流れるのではなく循環し、その一方で、置換液ラインの接続部において血液チューブセット内に追加された置換液が、リンスポートから流出する。これにより、簡単且つ安全な血液チューブセットの充填・洗浄方法が可能になる。
【００２０】
特に、本方法において、置換液ラインから供給される置換液の液量は重要ではない。血液ポンプは、動脈側ラインと静脈側ラインとの間の接続部位において、液量ｎの置換液を体外血管回路内に吸い込み、吸い込んだ置換液を該回路内に循環させることにより、特に効果的な洗浄が行える。液量ｍの新鮮な置換液が置換液ラインを介して流入し、使用済み置換液を連続的に希釈するので、液量ｍ＋ｎの置換液が、置換液ラインの入口の後に続く領域に流入し、該置換液の一部、すなわち液量ｍがリンスポートを介して流出する。この点について、特に、置換液ラインを介して供給される置換液の液量は、血液ポンプにより体外血液回路内を循環する場合よりも少なくなるので、特に効果的な充填・洗浄が行える。液量ｍの置換液を追加する部位は、好適には、順方向に動作している血液ポンプの圧力側ラインである。
【００２１】
本発明の方法において、血液ポンプに対応するポンプ部は、好適には、動脈側ライン内に構成されている。さらに好適には、置換液は、血液ポンプと透析器との間の、血液チューブセットの前側希釈ポートにおいて供給される。したがって、追加された新鮮な置換液は、まず、少なくともその一部が透析器内を流れ、それにより、透析器が特に効果的に洗浄される。
【００２２】
血液ポンプが逆方向に動作する場合、血液ポンプにより液量ｎの置換液が吐出され、吐出された置換液は、動脈側ライン内をリンスポートに向かって輸送される。したがって、このプロセスにおいて、置換液ラインから血液チューブセットの前側希釈ポートへと供給される液量ｍ＋ｎの置換液は、血液ポンプによりその一部が動脈側ライン内へと吐出され、置換液の残りの部分は透析器及び静脈側ライン内を流れる。
【００２３】
上記第２の異なる方法において、上記の形態とは異なり血液ポンプは順方向に動作し、静脈側ラインと動脈側ラインとの間の接続部において静脈側ラインから動脈側ラインへと置換液を吐出し、吐出された置換液は、透析器を通って静脈側ラインへと至る。前側希釈ポートを介して置換液が供給され、既に循環している置換液と混合される。血液チューブセットが前側希釈ポートに供給される置換液と同じ程度にまで充填されると、リンスポートから置換液が排出される。
【００２４】
本発明の方法は、充填・洗浄用のバッグとそれに対応する使用済み溶液の回収用バッグとを用いて実施することもできるが、特に好適には、置換液作製部が一体化されたシステムにおいて使用される。置換液ポート及びリンスポートはこのシステムの一部であり、新鮮な置換液が置換液ポートを介して利用可能であり、使用済み置換液はリンスポートを介して置換液作製のために返液される。特にこのことは、血液チューブセットが回路内に一体化されていることを意味する。
【００２５】
さらに好適には、両ポートが機械側にバルブを有しており、このため、血液チューブセットの構成部材としてバルブを設ける必要がない。そのような置換液作製部が一体化されたシステムを用いた場合、特に、バッグを利用する必要がないので、これらバッグの調達、保存、使用及び廃棄にかかるコストが不要である。本発明の方法の特段の効果として、本発明の方法を用いるにあたって、置換液作製部が一体化された既存のシステムのハードウェアを変更する必要が無いということが挙げられる。新たな制御ソフトウェアが必要となるだけなので、既存のシステムを本発明の方法に簡単に適合させることができる。
【００２６】
本発明の方法において、リンスポート及び血液ポンプの制御は、好適には自動で行われる。本発明の方法において、開始時にチューブセットの接続を行えばよいだけであり、充填・洗浄プロセス全体が自動で行われる。これにより透析看護師の作業の多くが不要となり、それと同時に、誤操作によるエラーの可能性も排除される。
【００２７】
さらに好適には、置換液は置換液ポンプを介して供給される。これにより、置換液の補液量の正確な制御が可能になり、厳密に制御された様態で充填及び洗浄を行うことができる。
【００２８】
好適には、置換液ポンプの制御は自動で行われ、手動での作業工程が必要無いので、手作業に関するエラーの原因が排除され、時間が節約できる。
【００２９】
さらに好適には、置換液ポンプに対応するポンプ部が置換液ラインに一体化されている。特に、置換液作製部が一体化されたシステムに接続する場合、本発明の方法の動作に必要な全ての構成部材がシステムの外部で利用可能であるため、このシステムはハードウェアを変更する必要が無い。
【００３０】
置換液ポンプの制御は、好適には自動で行われる。このため、好適には、置換液作製部が一体化されたシステムを、置換液ポート、リンスポート、血液ポンプ及び置換液ポンプの協動を制御する本発明の新たなソフトウェアに適合させる必要がある。特にハードウェア側ではさらなる変更が必要無いので、既存のシステムを新たな方法に簡単に適合させることができる。
【００３１】
好適には、動脈側ライン、静脈側ライン及びリンスポートを接続するために、Ｔコネクタを用いる。これにより、簡単且つ信頼度の高い様態でこれらの部材が接続される。
【００３２】
動脈側ライン及び静脈側ラインの同時洗浄を行いつつリンスポートを介して置換液を排出できるが、洗浄中又は置換液の循環中に透析器を介して置換液を排出することも同様に可能である。
【００３３】
本発明はさらに、血液チューブセットを含む。本発明の血液チューブセットは、血液ポンプに対応するポンプ部と、透析器の入口に接続可能である動脈側ラインと、透析器の出口に接続可能である静脈側ラインと、置換液ラインと、動脈側ライン、静脈側ライン及びリンスポートに接続可能であるコネクタとを有し、置換液ポンプに対応するポンプ部が、置換液ラインに一体化されていることを特徴とする。特に、置換液作製部が一体化されたシステムへの接続は、システムのハードウェアを変更することなく、置換液ポンプに対応するポンプ部を置換液ラインに一体化することにより可能である。したがって、本発明の血液チューブセットの充填・洗浄方法は、本発明の血液チューブセットを用いて、とりわけ簡単且つ低コストで実現することができる。
【発明を実施するための最良の形態】
【００３４】
以下、図面を参照しつつ、本発明の実施形態を詳細に説明する。
【００３５】
本発明の第１の実施形態を図１に示す。置換液作製部を有する体外血液治療システムが、置換液ポート１及びリンスポート２を機械側に備えている。新鮮な置換液が置換液ポート１を介して血液チューブセット内に供給され、使用された置換液はリンスポート２を介して排出され、置換液作製に利用される。
【００３６】
実際の血液チューブセットは、動脈側ライン２０及び静脈側ライン３０から構成される。血液ポンプ２５に対応するポンプ部が動脈側ライン２０に設けられており、空気分離部３５が静脈側ライン３０に設けられている。透析器４０は、２つのチャンバ、すなわち洗浄液用の透析チャンバ４２と、血液チャンバ４１とを備えており、血液チャンバ４１を介して透析器４０が体外血液回路に統合されている。
【００３７】
この目的のために、動脈側ライン２０は、血液ポンプ２５の手前で、透析器４０の血液チャンバ４１の入口に接続されている。血液チャンバ４１の出口は静脈側ライン３０に接続されており、血液チャンバ４１から流出した液体は、まず空気分離部３５内に流入し、発生した気泡が分離される。前側希釈ポート２１が、動脈側ライン２０の、血液ポンプ２５と血液チャンバ４１の入口との間に設けられている。後側希釈ポート（但し本発明の方法の本実施形態では用いない）は、静脈側ライン３０の、血液チャンバ４１の出口と空気分離部３５との間に設けられている。置換液ライン１０は、前側希釈ポート２１に接続され、置換液ポンプ１５に対応するポンプ部を有している。
【００３８】
置換液ライン１０は、本発明の血液チューブセットの充填・洗浄方法を実行する血液治療システムの置換液ポート１に接続される。静脈側ライン３０及び動脈側ライン２０の患者側端部は、Ｔコネクタ５０を介して短絡されており、且つ、血液治療システムのリンスポート２に接続されている。置換液ポート１及びリンスポート２の両方が開放されている。
【００３９】
図１に示す方法変形例において、液量ｍ＋ｎの置換液が、置換液ポンプ１５により置換液ポート１から吸い込まれ、血液ポンプ２５と、透析器４０の入口との間の前側希釈ポート２１を介して動脈側ライン２０に供給される。
【００４０】
血液ポンプ２５は、逆回転方向に動作して、液量ｎの置換液を直接動脈側ライン２０を介してＴコネクタ５０及びリンスポート２へと吐出する。置換液の残りの部分、すなわち液量ｍは、必然的に、透析器４０の血液チャンバ４１内を通過し、その後、空気分離部３５を通過して、静脈側ライン３０を通って、同様にＴコネクタ５０及びリンスポート２へと流れる。
【００４１】
この実施形態において、動脈側ライン２０及び静脈側ライン３０は、洗浄プロセスの間、２つの分流がその内部を並列且つ同時に流れる。これら分流は、前側希釈ポート２１において分離し、リンスポート２において再び合流する。ここで合流した溶液は、血液治療システムの置換液作製部に供給される。
【００４２】
このように、本プロセスの制御のために血液ポンプ２５及び置換液ポンプ１５を制御するだけで、血液チューブセットにさらなるバルブを設けることなく、静脈側ライン３０及び動脈側ライン２０の両方同時に充填を行うことができる。したがって、置換液ポート１からの置換液がまず血液チューブセットに充填され、ポンプが動作を継続することにより血液チューブセットを洗浄し、使用した置換液が開放状態のリンスポート２を介して排出されるので、充填・洗浄プロセスは１つの作業工程において実施される。
【００４３】
図２のように、置換液ポート１及びリンスポート２の両方が閉鎖状態になると、置換液はそれ以上血液チューブセット内を流れず、血液チューブセットから流出もしない。この予備循環動作において、血液ポンプ２５は、通常の回転方向に動作して順方向に溶液を給送する。置換液は、回路内の血液チューブセット内を、透析器４０、空気分離部３５、静脈側患者ライン３０、Ｔコネクタ５０、動脈側患者ライン２０の順番で循環し、再び血液ポンプ２５に戻って、血液ポンプ２５により吐出される。
【００４４】
したがって、コネクタを切換えたり、血液チューブセットのバルブの開放・閉鎖を行ったりすることなく、洗浄動作から予備循環動作への遷移が可能である。したがって、機械側のポートの開放・閉鎖及びポンプの制御によってのみ、制御が可能である。
【００４５】
図３は、本発明の血液チューブセットの充填・洗浄方法の第２の実施形態を示す。血液チューブセットの設計及び接続は第１の実施形態と同じであるが、本実施形態では、充填・洗浄プロセスは、流体が血液チューブセット内を循環している状態で行われる。
【００４６】
このプロセスにおいて、置換液ポンプ１５の動作時には、液量ｍの置換液が血液チューブセットの前側希釈ポート２１へと常時吐出される。血液ポンプ２５が動脈側ライン２０の順方向に動作して液量ｎの置換液を吐出する間、液量ｍ（ポンプ１５の吐出量と同量）の使用済み置換液がＴコネクタ５０及びリンスポート２を介して常時供給される。前側希釈ポート２１において、血液ポンプ２５からの置換液と置換液ライン１０からの置換液とが合流し、液量ｍ＋ｎの置換液の液流が形成される。このｍ＋ｎの置換液は、透析器４０の血液チャンバ４１を介して空気分離部３５に達し、その後、静脈側ライン３０を介してＴコネクタ５０に至る。
【００４７】
Ｔコネクタ５０において、液量ｍの使用済み置換液がリンスポート２を介して流出し、置換液の残りの部分、すなわち液量ｎの置換液が、血液ポンプ２５により動脈側ライン２０内に吸い込まれる。この方法変形例において、置換液は動脈側ライン２０及び静脈側ライン３０内を同時に直列に流れる。置換液は、血液チューブセット内を、透析器４０、空気分離部３５、静脈側患者ライン３０、Ｔコネクタ５０、動脈側患者ライン２０の順番で流れ、再び血液ポンプ２５に戻って、血液ポンプ２５により吐出される。
【００４８】
予備循環をバイパスするには、置換液ポンプ１５をオフにして、置換液ポート１及びリンスポート２を閉鎖するだけでよい。血液ポンプ２５は、単に連続的に動作して、図２で先に説明したように血液チューブセット内に置換液を循環させる。この方法により、血液チューブセットの充填及び洗浄が１つのプロセスで行われるだけでなく、洗浄及びそれに続く予備循環が連続的に行われる。
【００４９】
血液ポンプ２５を停止すると、予備循環が終了する。その後、動脈側ライン２０及び静脈側ライン３０がコネクタ５０から外されて、患者がこれらのラインに接続される。
【００５０】
本発明の血液チューブセットの充填・洗浄方法における既存の血液治療システムとの差違は、コスト面で好ましいディスポーザブル品として形成され得る特別なＴコネクタ５０を用いること、一体型置換液ポンプを用いること、並びに、治療装置の制御プログラムを変更することであり、新たな構成部材を考慮したり制御する必要がない。したがって、変更はソフトウェアの変更に限定される。煩雑な電気ケーブルをさらに設ける必要が無いので、それによるコスト上昇も無い。
【００５１】
さらに、次のような利点が得られる。血液チューブセットは、完全に機械によって制御され、制御された様態で充填及び洗浄が行われる。さらに、置換液の予備循環への遷移が中断無く行われる。特に、充填及び洗浄は、連続的に、流体の流れを中断することなく行われ、これにより安全性が一層向上する。したがって、手作業工程に関するエラーの原因が排除される。
【図面の簡単な説明】
【００５２】
【図１】図１は、本発明による充填・洗浄プロセスの第１の実施形態を示す図である。
【図２】図２は、本発明による循環の第１の実施形態を示す図である。
【図３】図３は、本発明による充填・洗浄プロセスの第２の実施形態を示す図である。
【図１】
0005409350.tif 000002
【図２】
0005409350.tif 000003
【図３】
0005409350.tif 000004